(57)【要約】      （修正有）【課題】高所架台上にあるケーブルヘッドの点検保守等の作業において、無胴綱状態にならないようにし、架台に設置された支柱へ親綱やパイプ等の横架部材を容易に取り付けて安全性を確保する。【解決手段】架台Ｐ上において作業員の胴綱Ｒを掛止する安全柵を形成するための胴綱掛け装置１であって、架台の両側に回動可能に取り付けた一対の支柱２ａ，２ｂを備え、両支柱の先端部には、親綱やパイプ等の横架部材Ｑを取り付けるための丸環フックを設ける。架台上において作業員の胴綱Ｒを掛止する安全柵を形成するための胴綱掛け取付方法であって、架台側面に回動可能に取り付けた一対の支柱２ａ，２ｂを起立回動させ、両支柱を架台側面の起立位置から架台Ｐに係止されない位置まで若干スライド上昇させ、支持軸を介して架台下側に回動させて支柱先端の丸環フックに親綱やパイプ等の横架部材Ｑを取り付けた後、両支柱を架台上側に起立回動させる。【選択図】図１
2008190278.tif 000002
【特許請求の範囲】
【請求項１】
架台上において作業員の胴綱を掛止する安全柵を形成するための胴綱掛け装置であって、架台の両側に取り付けた一対の支柱を備え、両支柱の先端部には、親綱やパイプ等の横架部材を取り付けるための丸環フックを設けたことを特徴とする高所架台上の胴綱掛け装置。
【請求項２】
架台上において作業員の胴綱を掛止する安全柵を形成するための胴綱掛け装置であって、架台の両側に回動可能に取り付けた一対の支柱を備え、両支柱の先端部には、親綱やパイプ等の横架部材を取り付けるための丸環フックを設けたことを特徴とする高所架台上の胴綱掛け装置。
【請求項３】
一対の支柱は、伸縮して長さ調節が可能である請求項１または２に記載の高所架台上の胴綱掛け装置。
【請求項４】
一対の支柱は、架台の両側に支持軸を介して回動可能に取り付けられ、使用時には、架台上側に向けて起立固定可能である請求項２または３に記載の高所架台上の胴綱掛け装置。
【請求項５】
一対の支柱は、使用しない時は、架台側面に沿って折畳固定可能である請求項２または３に記載の高所架台上の胴綱掛け装置。
【請求項６】
一対の支柱の丸環フックに親綱やパイプ等の横架部材を取り付ける際に、両支柱を架台側面の起立位置から架台に係止されない位置まで若干スライド上昇させ、架台下側位置まで回動可能である請求項２乃至５のいずれかに記載の高所架台上の胴綱掛け装置。
【請求項７】
架台側面に折畳まれた支柱の先端側を固定するよう、架台側面に第１のロックボルト装着部を備えた請求項２乃至６のいずれかに記載の高所架台上の胴綱掛け装置。
【請求項８】
架台上側に向けて起立させた支柱の支持軸側を固定するよう、架台側面に第２のロックボルト装着部を備えた請求項２乃至７のいずれかに記載の高所架台上の胴綱掛け装置。
【請求項９】
架台上において作業員の胴綱を掛止する安全柵を形成するための胴綱掛け取付方法であって、架台側面に回動可能に取り付けた一対の支柱を起立させ、両支柱の先端部に親綱やパイプ等の横架部材を取り付けて安全柵を形成することを特徴とする高所架台上の胴綱掛け取付方法。
【請求項１０】
架台上において作業員の胴綱を掛止する安全柵を形成するための胴綱掛け取付方法であって、架台側面に回動可能に取り付けた一対の支柱を起立回動させ、両支柱の先端部に親綱やパイプ等の横架部材を取り付けて安全柵を形成することを特徴とする高所架台上の胴綱掛け取付方法。
【請求項１１】
架台上において作業員の胴綱を掛止する安全柵を形成するための胴綱掛け取付方法であって、架台側面に回動可能に取り付けた一対の支柱を起立回動させ、さらに両支柱を架台側面の起立位置から架台に係止されない位置まで若干スライド上昇させ、支持軸を介して架台下側に回動させて支柱先端の丸環フックに親綱やパイプ等の横架部材を取り付けた後、両支柱を架台上側に起立回動させて安全柵を形成することを特徴とする高所架台上の胴綱掛け取付方法。
【請求項１２】
架台上において作業員の胴綱を掛止する安全柵を形成するための胴綱掛け取付方法であって、架台側面に回動可能に取り付けた一対の支柱において、支柱先端側固定用の第１のロックボルト装着部のロックボルトを外し、架台側面に折畳まれている支柱それぞれを起立回動させ、第２のロックボルト装着部に係止された位置から係止解除位置まで若干スライド上昇させ、さらに支持軸を介して架台下側に回動させて支柱先端の丸環フックに親綱やパイプ等の横架部材を取り付けた後、両支柱を支持軸を介して架台上側に回動起立させ、第２のロックボルト装着部に係止された状態とし、第２のロックボルト装着部に前記ロックボルトを装着して当該支柱を架台に固定することで安全柵を形成することを特徴とする高所架台上の胴綱掛け取付方法。
【請求項１３】
一対の支柱は、伸縮して長さ調節が可能である請求項９乃至１２のいずれかに記載の高所架台上の胴綱掛け取付方法。
【発明の詳細な説明】
【技術分野】
【０００１】
本発明は、例えば、高圧電線用ケーブルヘッド架台等の高所作業場において、作業員の胴綱を掛止する安全柵を形成するために使用される、高所架台上の胴綱掛け装置と胴綱掛け取付方法に関するものである。
【背景技術】
【０００２】
近年において、例えば、高圧電線用架台上に設置されている絶縁体によるケーブルヘッドの素材としては、主として陶磁器碍子管が使用されていたが、低コスト・軽量化を図るために、プラスチック複合碍子管が採用されつつある。
【０００３】
また、このような高所架台上にあるケーブルヘッドの点検保守等の作業においては、当該ケーブルヘッドに、作業員の安全帯である、所謂胴綱を架けることで安全対策が採られていた。
【０００４】
しかし、プラスチック複合碍子管は、陶磁器碍子管に比べて強度が弱く、しかも表面が柔軟であるため、安全帯としての胴綱を架けることが困難になっていた。
【０００５】
そのため、従来における胴綱掛け装置としては、安全柵や手摺のない場所に親綱を簡易に取り付けるものとして、例えば、特許文献１に開示されているように、基台に対して使用位置と収納位置とに変位可能に取り付けられる支柱と、該支柱に設けられる胴綱掛け部と、および支柱を使用位置で固定するロック機構部とを備えてなる胴綱掛け装置を２台備え、この２台の胴綱掛け装置のそれぞれの支柱が胴綱掛け部を介して互いに連結される胴綱掛け装置なる技術が存在する。
【０００６】
また、特許文献２に開示されているように、輸送時や格納時等では、親綱支柱を水平面上に垂直に自立させ、必要に応じて自立する多数本の親綱支柱を束ねるようにロープ等で結束し、使用に際しては、水平梁を構成する鉄骨の水平張り出しエッジ部に対しクランプ手段の上下の突出部間の凹部を横から嵌合し、上側の２本の締結用ねじを締め付けて、当該水平張り出しエッジ部をクランプ用受け面との間で挟持固定する結果、支柱本体は、上端の親綱係止部が水平張り出しエッジ部から外側へ離れるように所定角度だけ傾斜して立設され、このようにして親綱支柱を、水平梁を構成する鉄骨の長さ方向適当間隔おきに立設し、これら各親綱支柱間や親綱支柱と柱等との間に親綱係止部等を利用して、鉄骨の水平張り出しエッジ部に対し外側に離れた位置で所定高さに親綱を略水平に張設することができるようにした親綱用支柱なる技術が存在する。
【特許文献１】特開２００３−２６２０４６号公報
【特許文献２】特開２００４−２１８２４５号公報
【発明の開示】
【発明が解決しようとする課題】
【０００７】
しかしながら、上記した特許文献１に示すような胴綱掛け装置や特許文献２に示すような親綱用支柱の取付時において、親綱を取り付けるための支柱を設置する場合は、例えば、三脚等を使用して施工する必要があり、このとき無胴綱状態となって安全性を確保することが困難となっていた。
【０００８】
また、安全柵等を常時取り付けた場合には、ケーブルヘッドおよび親綱用支柱の充電部に対する離隔状態を確保する必要があるため、架台自体が大きくなり、不経済なものになるという問題点を有していた。
【０００９】
そこで、本発明は如上のような従来存した諸事情に鑑み創出されたもので、高所架台上にあるケーブルヘッドの点検保守等の作業において、無胴綱状態にならないようにすることで作業の安全性が向上し、さらに、架台に設置された支柱へ親綱やパイプ等の横架部材を容易に取り付けて安全性を確保した高所架台上の胴綱掛け装置と胴綱掛け取付方法を提供することを目的とする。
【課題を解決するための手段】
【００１０】
本発明は、架台上において作業員の胴綱を掛止する安全柵を形成するための胴綱掛け装置であって、架台の両側に取り付けた一対の支柱を備え、両支柱の先端部には、親綱やパイプ等の横架部材を取り付けるための丸環フックを設けたことで、上述した課題を解決した。
【００１１】
また、架台上において作業員の胴綱を掛止する安全柵を形成するための胴綱掛け装置であって、架台の両側に回動可能に取り付けた一対の支柱を備え、両支柱の先端部には、親綱やパイプ等の横架部材を取り付けるための丸環フックを設けたことで、同じく上述した課題を解決した。
【００１２】
さらに、一対の支柱は、伸縮して長さ調節が可能であることで、同じく上述した課題を解決した。
【００１３】
また、一対の支柱は、架台の両側に支持軸を介して回動可能に取り付けられ、使用時には、架台上側に向けて起立固定可能であることで、同じく上述した課題を解決した。
【００１４】
加えて、一対の支柱は、使用しない時は、架台側面に沿って折畳固定可能であることで、同じく上述した課題を解決した。
【００１５】
また、一対の支柱の丸環フックに親綱やパイプ等の横架部材を取り付ける際に、両支柱を架台側面の起立位置から架台に係止されない位置まで若干スライド上昇させ、架台下側位置まで回動可能であることで、同じく上述した課題を解決した。
【００１６】
この他、架台側面に折畳まれた支柱の先端側を固定するよう、架台側面に第１のロックボルト装着部を備えたことで、同じく上述した課題を解決した。
【００１７】
また、架台上側に向けて起立させた支柱の支持軸側を固定するよう、架台側面に第２のロックボルト装着部を備えたことで、同じく上述した課題を解決した。
【００１８】
一方、本発明は、架台上において作業員の胴綱を掛止する安全柵を形成するための胴綱掛け取付方法であって、架台側面に回動可能に取り付けた一対の支柱を起立させ、両支柱の先端部に親綱やパイプ等の横架部材を取り付けて安全柵を形成することで、同じく上述した課題を解決した。
【００１９】
また、架台上において作業員の胴綱を掛止する安全柵を形成するための胴綱掛け取付方法であって、架台側面に回動可能に取り付けた一対の支柱を起立回動させ、両支柱の先端部に親綱やパイプ等の横架部材を取り付けて安全柵を形成することで、同じく上述した課題を解決した。
【００２０】
さらに、架台上において作業員の胴綱を掛止する安全柵を形成するための胴綱掛け取付方法であって、架台側面に回動可能に取り付けた一対の支柱を起立回動させ、さらに両支柱を架台側面の起立位置から架台に係止されない位置まで若干スライド上昇させ、支持軸を介して架台下側に回動させて支柱先端の丸環フックに親綱やパイプ等の横架部材を取り付けた後、両支柱を架台上側に起立回動させて安全柵を形成することで、同じく上述した課題を解決した。
【００２１】
また、架台上において作業員の胴綱を掛止する安全柵を形成するための胴綱掛け取付方法であって、架台側面に回動可能に取り付けた一対の支柱において、支柱先端側固定用の第１のロックボルト装着部のロックボルトを外し、架台側面に折畳まれている支柱それぞれを起立回動させ、第２のロックボルト装着部に係止された位置から係止解除位置まで若干スライド上昇させ、さらに支持軸を介して架台下側に回動させて支柱先端の丸環フックに親綱やパイプ等の横架部材を取り付けた後、両支柱を支持軸を介して架台上側に回動起立させ、第２のロックボルト装着部に係止された状態とし、第２のロックボルト装着部に前記ロックボルトを装着して当該支柱を架台に固定することで安全柵を形成することで、同じく上述した課題を解決した。
【００２２】
加えて、一対の支柱は、伸縮して長さ調節が可能であることで、同じく上述した課題を解決した。
【発明の効果】
【００２３】
本発明は、架台上において作業員の胴綱を掛止する安全柵を形成するための胴綱掛け装置であって、架台の両側に取り付けた一対の支柱を備え、両支柱の先端部には、親綱やパイプ等の横架部材を取り付けるための丸環フックを設けたことから、架台に設置された支柱へ、親綱やパイプ等の横架部材を簡単に取り付けることができる。
【００２４】
そのため、高所架台上にあるケーブルヘッドの点検保守等の作業において、無胴綱状態にならないようにして、作業の安全性を向上させることができる。
【００２５】
そして、作業員の腰ベルト等に取り付けている胴綱を安全柵の横架部材に結んでおくことにより、作業員の落下事故を防止し、作業の安全を確保することができる。
【００２６】
具体的には、本発明は、架台の両側に回動可能に取り付けた一対の支柱を備えていることから、胴綱掛け装置を使用する時に、一対の支柱を回動させて、架台上で支柱が起立した状態を簡単に維持することができる。
【００２７】
また、両支柱の先端部には、親綱やパイプ等の横架部材を取り付けるための丸環フックを設けているため、起立した状態の支柱に横架部材を簡単に取り付けることができる。
【００２８】
さらに、両支柱を架台の下方に配置した状態では、地上側において、両支柱に横架部材を簡単に取り付けることができる。
【００２９】
また、一対の支柱は、伸縮して長さ調節が可能であるので、両支柱に取り付けている横架部材の高さを自由に調節できる。
【００３０】
加えて、支柱の長さ調節が可能であるので、両支柱を架台の下方に配置した状態において、架台の高さに合わせて支柱の長さを調節し、地上側から両支柱に横架部材を簡単に取り付けることができる。
【００３１】
また、一対の支柱は、架台の両側に支持軸を介して回動可能に取り付けられていることから、胴綱掛け装置の使用時に、一対の支柱を架台上側に向けて回動させ、起立した状態で固定可能である。
【００３２】
この他、一対の支柱は、使用しない時は、架台側面に沿って折畳固定可能であるので、胴綱掛け装置を使用しない時に、一対の支柱が邪魔になるようなことがない。
【００３３】
また、一対の支柱の丸環フックに親綱やパイプ等の横架部材を取り付ける際に、両支柱を架台側面の起立位置から架台に係止されない位置まで若干スライド上昇させ、架台下側位置まで回動可能であるので、地上側において、両支柱に横架部材を簡単に取り付けることができる。
【００３４】
さらに、架台側面に第１のロックボルト装着部を備えているので、架台側面に折畳まれた支柱の先端側を簡単に固定することができる。
【００３５】
また、架台側面に第２のロックボルト装着部を備えているので、架台上側に向けて起立させた支柱の支持軸側を簡単に固定することができる。
【００３６】
一方、本発明は、架台上において作業員の胴綱を掛止する安全柵を形成するための胴綱掛け取付方法であって、架台側面に回動可能に取り付けた一対の支柱を起立させ、両支柱の先端部に親綱やパイプ等の横架部材を取り付けて安全柵を形成することから、高所架台上にあるケーブルヘッドの点検保守等の作業において、無胴綱状態にならないようにして、作業の安全性を向上させることができる。
【００３７】
そして、作業員の腰ベルト等に取り付けている胴綱を安全柵の横架部材に結んでおくことにより、作業員の落下事故を防止し、作業の安全を確保することができる。
【００３８】
具体的には、架台側面に回動可能に取り付けた一対の支柱を起立回動させることにより、両支柱の先端部に親綱やパイプ等の横架部材を取り付けて安全柵を簡単に形成することができる。
【００３９】
また、架台側面に回動可能に取り付けた一対の支柱を起立回動させ、さらに両支柱を架台側面の起立位置から架台に係止されない位置まで若干スライド上昇させ、支持軸を介して架台下側に回動させて支柱先端の丸環フックに親綱やパイプ等の横架部材を取り付けた後、両支柱を架台上側に起立回動させることにより、架台に安全柵を簡単に形成することができる。
【００４０】
さらに、架台側面に回動可能に取り付けた一対の支柱において、支柱先端側固定用の第１のロックボルト装着部のロックボルトを外すことで、架台側面に折畳まれている支柱それぞれを簡単に起立回動させることができる。
【００４１】
また、第２のロックボルト装着部に係止された位置から係止解除位置まで若干スライド上昇させ、さらに支持軸を介して架台下側に回動させて、地上側において、支柱先端の丸環フックに親綱やパイプ等の横架部材を取り付けることができる。
【００４２】
その後、両支柱を支持軸を介して架台上側に回動起立させ、第２のロックボルト装着部に係止された状態とし、第２のロックボルト装着部に前記ロックボルトを装着することで、当該支柱を架台に固定して、安全柵を簡単に形成することができる。
【００４３】
加えて、一対の支柱は、伸縮して長さ調節が可能であるので、両支柱に取り付けている横架部材の高さを自由に調節できる。
【００４４】
また、支柱の長さ調節が可能であるので、両支柱を架台の下方に配置した状態において、架台の高さに合わせて支柱の長さを調節し、地上側から両支柱に横架部材を簡単に取り付けることができる。
【発明を実施するための最良の形態】
【００４５】
以下に、本発明を実施するための最良の形態を、図面を参照して説明する。
【００４６】
本発明は、図１に示すように、架台Ｐ上において作業員Ｓの胴綱Ｒを掛止する安全柵を形成するための胴綱掛け装置１である。
【００４７】
この胴綱掛け装置１は、架台Ｐの両側に一対の支柱２ａ，２ｂを備え、両支柱２ａ，２ｂの先端部には、丸環フック４を設けている。そして、架台Ｐ上において一対の支柱２ａ，２ｂを起立した状態にし、支柱２ａ，２ｂの丸環フック４に親綱やパイプ等の横架部材Ｑを取り付けて安全柵を形成するのである。
【００４８】
具体的には、図１に示すように、ケーブルヘッドＨを載置させている架台Ｐの左右両端側に支柱２ａ，２ｂが取り付けられている。この支柱２ａ，２ｂは、伸縮して長さ調節が可能である。また、支柱２ａ，２ｂは、架台Ｐ側面に支持軸３を設け、この支持軸３を介して回動可能に枢着された、例えば、アングルにより形成されている。
【００４９】
丸環フック４は、両支柱２ａ，２ｂのそれぞれの先端部に取り付けられており、例えば、親綱や金属製のパイプ等の横架部材Ｑを取り付けるために、例えば、アイボルト構造に形成されている。
【００５０】
そして、架台Ｐの側面に折畳まれた支柱２ａ，２ｂの先端側を固定しておくために、図２に示すように、当該架台Ｐの側面に、第１のロックボルト装着部５を備えている。また、架台Ｐ上側に向けて起立させた支柱２ａ，２ｂの支持軸３側を固定するために、図３に示すように、当該架台Ｐの側面に、第２のロックボルト装着部６を備えている。
【００５１】
さらに、支柱２ａ，２ｂは、図２・図３に示すように、アングルの基端側に形成された長孔３ａに、架台Ｐ側面に突設した支持軸３を挿入することで、支柱２ａ，２ｂ自体が架台Ｐ側面で支持軸３を中心として回動可能となっている。また、支柱２ａ，２ｂは、自身の長孔３ａによりスライド可能となるように枢着されている。さらに、アングルの先端側はＬ字状に折曲され、その中央に丸環フック４を取り付けている。
【００５２】
架台Ｐの側面に設けた第１のロックボルト装着部５は、図２示すように、アングルの一端面を垂直にして架台Ｐ側面に沿わせ、複数のボルトで固定している。このとき、アングルの他端面を架台Ｐの外側に水平に突出させている。
【００５３】
第１のロックボルト装着部５を形成するアングルの他端面には、図２に示すように、ロックボルト７を挿入する孔５ａが設けられている。また、この第１のロックボルト装着部５の孔５ａに対応して、図３に示すように、支柱２ａ，２ｂの先端側におけるアングル一端面に孔５ｂが設けられている。
【００５４】
そして、図２に示すように、支柱２ａ，２ｂを支持軸３を介して回動させ、架台Ｐ側面に沿って折畳むと、支柱２ａ，２ｂの孔５ｂと第１のロックボルト装着部５の孔５ａとが合致する。この孔５ｂ，５ａにロックボルト７を挿入し、反対側からナット８で締結することにより、図２に示すように、支柱２ａ，２ｂが架台Ｐ側面に固定されるのである。
【００５５】
架台Ｐの側面に設けた第２のロックボルト装着部６は、図２に示すように、アングルの一端面を垂直にして架台Ｐ側面に沿わせ、複数のボルトで固定している。このとき、アングルの他端面を架台Ｐの外側に垂直に突出させている。
【００５６】
第２のロックボルト装着部６を形成するアングルの他端面には、図２に示すように、ロックボルト７を挿入する孔６ａが設けられている。また、この第２のロックボルト装着部６の孔６ａに対応して、支柱２ａ，２ｂの長孔３ａ側におけるアングル一端面に孔６ｂが設けられている。
【００５７】
そして、図３に示すように、支柱２ａ，２ｂを支持軸３を介して回動させ、架台Ｐ上側に起立させると、支柱２ａ，２ｂの長孔３ａ側のアングル一端面が第２のロックボルト装着部６のアングルの他端面に係止される。
【００５８】
このとき、支柱２ａ，２ｂの孔６ｂと、第２のロックボルト装着部６の孔６ａとが合致する。この孔６ｂ，６ａにロックボルト７を挿入し、反対側からナット８で締結することにより、図３に示すように、支柱２ａ，２ｂが架台Ｐ上で起立した状態で固定されるのである。
【００５９】
そして、図３に示すように、支柱２ａ，２ｂ先端の丸環フック４に、親綱やパイプ等の横架部材Ｑを装着するのである。
【００６０】
尚、支柱２ａ、２ｂ先端の丸環フック４に、地上において親綱やパイプ等の横架部材Ｑを装着できるようにするため、図５に示すように、支持軸３を介して、支柱２ａ、２ｂを架台Ｐ下側に回動できるようにしている。
【００６１】
すなわち、支柱２ａ、２ｂは、起立状態における第２のロックボルト装着部６に係止された位置から（図３参照、）、図４に示すように、支柱２ａ、２ｂ自体を上側に若干スライドさせ、長孔３ａの下端位置で支持軸３が係止されるようにする。このようにして、第２のロックボルト装着部６における支柱２ａ、２ｂの係止が解除されることで、図５に示すように、支持軸３を介して、支柱２ａ、２ｂを架台Ｐ下側に回動させることができるのである。
【００６２】
次に、以上のように構成された本発明の最良の形態について、使用の一例を説明する。
【００６３】
先ず、胴綱掛け装置１を使用しない時には、図２に示すように、支柱２ａ，２ｂを架台Ｐ側面に沿って折畳んで、第１のロックボルト装着部５にロックボルト７でもって固定しておく。
【００６４】
一方、胴綱掛け装置１を使用する時には、第１のロックボルト装着部５からロックボルト７を外して、支柱２ａ，２ｂを架台Ｐ側面の折畳位置から９０度回動させて起立させる。
【００６５】
すると、図３に示すように、支柱２ａ，２ｂの長孔３ａ側のアングル一端面が第２のロックボルト装着部６のアングルの他端面に係止され、支柱２ａ，２ｂの孔６ｂと第２のロックボルト装着部６の孔６ａとが合致し、そこにロックボルト７を挿入して反対側からナット８で締結することにより、支柱２ａ，２ｂが架台Ｐ上で起立した状態で固定される。
【００６６】
このように、支柱２ａ，２ｂが起立した状態で、支柱２ａ，２ｂ先端の丸環フック４に親綱やパイプ等の横架部材Ｑを装着するのである。
【００６７】
次に、支柱２ａ、２ｂ先端の丸環フック４に、地上において親綱やパイプ等の横架部材Ｑを装着する場合について説明する。
【００６８】
先ず、第１のロックボルト装着部５からロックボルト７を外して、支柱２ａ，２ｂを架台Ｐ側面の折畳位置から９０度回動させて起立させる。
【００６９】
そして、図４に示すように、支柱２ａ、２ｂの起立状態における第２のロックボルト装着部６に係止されている位置から、長孔３ａの下端位置で支持軸３が係止される位置まで支柱２ａ、２ｂ自体を上側に若干スライドさせ、第２のロックボルト装着部６に対する支柱２ａ、２ｂの係止を解除する。
【００７０】
その後、図５に示すように、両支柱２ａ，２ｂを支持軸３を介して架台Ｐ下側位置まで回動させる。このとき、必要に応じて支柱２ａ，２ｂを伸縮させ、その長さを調節する。この状態で、支柱２ａ，２ｂの丸環フック４に、地上側にて親綱やパイプ等の横架部材Ｑを取り付けるのである。
【００７１】
このとき、三脚等を使用して、支柱２ａ，２ｂの丸環フック４に親綱やパイプ等の横架部材Ｑを取り付けても差し支えない。
【００７２】
次いで、横架部材Ｑを取り付けた支柱２ａ，２ｂを架台Ｐ上側に向けて同時に起立させる（図４参照）。そして、図３に示すように、長孔３ａの上端位置で支持軸３が係止される位置まで支柱２ａ、２ｂ自体を自重に任せて下側に若干スライドさせ、第２のロックボルト装着部６に支柱２ａ、２ｂを係止させる。
【００７３】
この状態で、支柱２ａ，２ｂの孔６ｂと第２のロックボルト装着部６の孔６ａとが合致し、そこにロックボルト７を挿入して反対側からナット８で締結することにより、支柱２ａ，２ｂが架台Ｐ上で起立した状態で固定される。
【００７４】
尚、ロックボルト７とナット８は、前記第１のロックボルト装着部５から外したものを使用する。
【００７５】
こうして、図１に示すように、胴綱掛け装置１によって架台Ｐ上に簡易な安全柵が形成され、作業員Ｓはこの安全柵によって安全性が確保された状態でケーブルヘッドＨの点検保守作業を行うことができるのである。
【００７６】
また、作業の際には、図１に示すように、作業員Ｓの腰ベルト等に取り付けている胴綱Ｒを安全柵の親綱やパイプ等の横架部材Ｑに結んでおくことにより、作業員Ｓの落下事故を防止し、作業の安全を確保しているのである。
【００７７】
尚、図２乃至図５に示す胴綱掛け装置１は、支柱２ａ，２ｂが、架台Ｐ側面に設けた支持軸３を介して回動可能に取り付けられているが、このような構造に限定されることはない。
【００７８】
例えば、図６・図７に示すように、架台Ｐに支持軸３が存在せず、ロックボルト７とナット８を外した状態で、支柱２ａ，２ｂが架台Ｐから分離できるように構成されていても差し支えない。
【００７９】
また、上述した胴綱掛け装置１は、図８に示すように、使用しない時に支柱２ａ，２ｂを架台Ｐ側面に沿って折畳んでおくものであるが(図２・図６参照)、このような構造に限定されることはない。
【００８０】
例えば、図９・図１０に示すように、使用しない時に支柱２ａ，２ｂを架台Ｐ側面に沿って折畳むのではなく、架台Ｐの下部に常設しておくものであっても差し支えない。
【００８１】
図９に示す胴綱掛け装置１は、支柱２ａ，２ｂが架台Ｐ側面に回動可能に取り付けられている。この支柱２ａ，２ｂには、親綱やパイプ等の横架部材Ｑが装着されている。
【００８２】
そして、胴綱掛け装置１を使用しない時は、図９（ａ）（ｂ）の実線に示すように、支柱２ａ，２ｂを架台Ｐの下部に配置しておく。
【００８３】
この胴綱掛け装置１を使用する時は、図９（ａ）（ｂ）の二点鎖線に示すように、架台Ｐ側面に取り付けた支柱２ａ，２ｂを上方に向けて回動させ、その状態で架台Ｐに固定するのである。
【００８４】
図１０に示す胴綱掛け装置１は、親綱やパイプ等の横架部材Ｑを装着している支柱２ａ，２ｂが、起立した状態を維持しながら架台Ｐの上方と下方にその位置を移動できるよう、架台Ｐに摺動可能に取り付けられている。
【００８５】
そして、胴綱掛け装置１を使用しない時は、図１０（ａ）（ｂ）の実線に示すように、支柱２ａ，２ｂを架台Ｐの下部に配置しておく。
【００８６】
この胴綱掛け装置１を使用する時は、図１０（ａ）（ｂ）の二点鎖線に示すように、架台Ｐ側面に取り付けた支柱２ａ，２ｂを上方に向けて移動させ、その状態で架台Ｐに固定するのである。
【００８７】
この場合、例えば、図１１に示すように、横架部材Ｑと摺動用パイプ９を並行に配置した状態で、その両端部を所定の長さの移動支柱１０ａ，１０ｂにより連結し、横架部材Ｑ、摺動用パイプ９、２本の移動支柱１０ａ，１０ｂにより枠体１１を形成しておく。この２本の移動支柱１０ａ，１０ｂのそれぞれの内側には、摺動溝１２が設けられている。また、２本の移動支柱１０ａ，１０ｂのそれぞれの上下部には、固定ボルト１３用の孔１４が設けられている。
【００８８】
一方、架台Ｐにおいては、その長手方向に位置する一方側の両角部に、切欠部１５が設けられている。この両切欠部１５には、架台Ｐの長手方向に沿うように、外側に向けて支持突出部１６が設けられている。この支持突出部１６は、移動支柱１０ａ，１０ｂの摺動溝１２に係合して移動支柱１０ａ，１０ｂを支持するものである。また、両切欠部１５には、架台Ｐの短手方向において、固定ボルト１３用の孔１7が設けられている。
【００８９】
そして、胴綱掛け装置１を使用しない時は、図１１に示すように、架台Ｐの下部に枠体１１を配置し、両移動支柱１０ａ，１０ｂの上部に設けた孔１４と架台Ｐの切欠部１５に設けた孔１7を合致させ、固定ボルト１３により固定しておく。
【００９０】
また、胴綱掛け装置１を使用する時は、固定ボルト１３を外し、架台Ｐの支持突出部１６と移動支柱１０ａ，１０ｂの摺動溝１２を介して、移動支柱１０ａ，１０ｂを上方に移動させ、架台Ｐの上部に枠体１１を配置する。この状態で、両移動支柱１０ａ，１０ｂの下部に設けた孔１４と架台Ｐの切欠部１５に設けた孔１7を合致させ、固定ボルト１３により固定するのである。
【００９１】
尚、図９に示すように、横架部材Ｑを上方に向けて回動させたり、図１０・図１１に示すように、横架部材Ｑを上方に向けて直線的に移動させるときには、押上治具１８を使用する。
【００９２】
この押上治具１８は、図１２に示すように、棒状部材の先端に、嵌合片１９を取り付けている。この嵌合片１９は、横架部材Ｑや摺動用パイプ９の外周に合致するような横向きの筒状に形成され、その上部に、横架部材Ｑや摺動用パイプ９を受け入れるための切り込み部を設けている。
【００９３】
押上治具１８の使用に際しては、横架部材Ｑや摺動用パイプ９の下側から押上治具１８の嵌合片１９を押し付けて合致させ、押上治具１８を所定の方向に押し上げて、横架部材Ｑを上方に向けて回動させたり、横架部材Ｑを上方に向けて直線的に移動させるのである。
【産業上の利用可能性】
【００９４】
本発明は、高所高圧電線のケーブルヘッド架台に限らず、種々の高所作業場で使用する胴綱掛け装置と胴綱掛け取付方法として、幅広く利用することができる。
【図面の簡単な説明】
【００９５】
【図１】高所架台上において、本発明に係る胴綱掛け装置を使用しながら、作業員が所定の作業を行っている状態を示す斜視図である。
【図２】架台に回動可能に取り付けられている支柱を、架台側面に折り畳んでいる状態を示す斜視図である。
【図３】架台に回動可能に取り付けられている支柱を上方側に起立させて第２のロックボルト装着部に固定し、支柱の先端部に横架部材を装着した状態を示す斜視図である。
【図４】支柱を上側に若干スライドさせて、第２のロックボルト装着部に対する係止を解除した状態を示す斜視図である。
【図５】支柱を架台の下方側に回動させ、支柱の先端部に横架部材を装着している状態を示す斜視図である。
【図６】架台に分離可能に取り付けられている支柱を、架台側面に折り畳んでいる状態を示す斜視図である。
【図７】架台に分離可能に取り付けられている支柱を上方側に起立させ、支柱の先端部に横架部材を装着した状態を示す斜視図である。
【図８】使用しない時に支柱を架台側面に沿って折畳んでおくタイプの胴綱掛け装置の構成を示す側面図である。
【図９】使用しない時に支柱を架台の下部に常設しておくタイプの胴綱掛け装置の構成を示すもので、（ａ）は架台側面に回動可能に取り付けた支柱を架台の下部に配置した状態の側面図、（ｂ）は架台側面に回動可能に取り付けた支柱を架台の下部に配置した状態の正面図である。
【図１０】使用しない時に支柱を架台の下部に常設しておくタイプの胴綱掛け装置の構成を示すもので、（ａ）は架台側面に摺動可能に取り付けた支柱を架台の下部に配置した状態の側面図、（ｂ）は架台側面に摺動可能に取り付けた支柱を架台の下部に配置した状態の正面図である。
【図１１】使用しない時に支柱を架台の下部に常設しておくタイプの胴綱掛け装置の具体的な構成を示す分解斜視図である。
【図１２】押上治具の構成を示す斜視図である。
【符号の説明】
【００９６】
Ｐ…架台
Ｑ…横架部材
Ｒ…胴綱
Ｓ…作業員
１…胴綱掛け装置
２ａ，２ｂ…支柱
３…支持軸
３ａ…長孔
４…丸環フック
５…第１のロックボルト装着部
５ａ，５ｂ…孔
６…第２のロックボルト装着部
６ａ，６ｂ…孔
７…ロックボルト
８…ナット
９…摺動用パイプ
１０ａ，１０ｂ…移動支柱
１１…枠体
１２…摺動溝
１３…固定ボルト
１４…孔
１５…切欠部
１６…支持突出部
１７…孔
１８…押上治具
１９…嵌合片
【図１】
2008190278.tif 000003
【図２】
2008190278.tif 000004
【図３】
2008190278.tif 000005
【図４】
2008190278.tif 000006
【図５】
2008190278.tif 000007
【図６】
2008190278.tif 000008
【図７】
2008190278.tif 000009
【図８】
2008190278.tif 000010
【図９】
2008190278.tif 000011
【図１０】
2008190278.tif 000012
【図１１】
2008190278.tif 000013
【図１２】
2008190278.tif 000014